(57)【特許請求の範囲】
【請求項１】
電動低圧ポンプによって供給される燃料を高圧ポンプで加圧してコモンレールに圧送し、前記コモンレールに接続された複数の燃料噴射弁から内燃機関の気筒内に燃料を噴射する蓄圧式燃料噴射装置を用いて前記内燃機関の運転制御を行う内燃機関の制御装置において、
前記内燃機関の始動時にクランキングの実行を制御するクランキング制御手段と、
前記内燃機関が始動したか否かを検出する始動検出手段と、
前記クランキングの開始時に前記電動低圧ポンプの作動を開始するとともに、前記クランキングの停止時に前記内燃機関が始動していない場合において、クランキング時間が所定の閾値未満である場合には前記電動低圧ポンプを停止する一方、クランキング時間が前記閾値以上である場合には前記電動低圧ポンプの作動を継続する制御を行う低圧ポンプ制御手段と、
を備えることを特徴とする内燃機関の制御装置。
【請求項２】
前記内燃機関の始動までに前記クランキングが複数回繰り返された場合には、前記複数回のクランキングの合計時間を前記クランキング時間として用いることを特徴とする請求項１に記載の内燃機関の制御装置。
【請求項３】
前記低圧ポンプ制御手段は、前記クランキングが停止し前記内燃機関が始動していない場合において、前記コモンレール内の圧力が所定の閾値以上であるか否かを判別し、前記コモンレール内の圧力が前記閾値以上である場合には、前記電動低圧ポンプを停止させ、前記コモンレール内の圧力が前記閾値未満である場合には、さらにクランキング時間が所定の閾値以上であるか否かを判別し、クランキング時間が前記閾値未満である場合には前記電動低圧ポンプを停止する一方、クランキング時間が前記閾値以上である場合には前記電動低圧ポンプの作動を継続することを特徴とする請求項１又は２に記載の内燃機関の制御装置。
【請求項４】
前記低圧ポンプ制御手段は、前記クランキング時間が前記閾値以上となって前記電動低圧ポンプの作動を継続させた場合に、予め定められた所定時間の経過後に前記電動低圧ポンプの作動を停止することを特徴とする請求項１〜３のいずれか一項に記載の内燃機関の制御装置。
【請求項５】
前記低圧ポンプ制御手段は、前記クランキング時間が前記閾値以上となって前記電動低圧ポンプの作動を継続させた場合に、前記高圧ポンプへ燃料を導く燃料通路内の圧力が所定の必要圧力値に達したときに前記電動低圧ポンプを停止することを特徴とする請求項１〜３のいずれか一項に記載の内燃機関の制御装置。
【発明の詳細な説明】
【技術分野】
【０００１】
本発明は、内燃機関の制御装置に関するものであり、特に、低圧フィードポンプとして電動低圧ポンプを用いた蓄圧式燃料噴射装置を用いて内燃機関の制御を行う内燃機関の制御装置に関するものである。
【背景技術】
【０００２】
従来、車両に搭載される内燃機関の気筒内に燃料を噴射するための装置として、高圧ポンプによって加圧された燃料を一時的に蓄積するためのコモンレールを備えた蓄圧式燃料噴射装置が用いられている。この蓄圧式燃料噴射装置は、燃料タンクと、低圧フィードポンプと、高圧ポンプと、コモンレールと、燃料噴射弁等によって構成されている。このような蓄圧式燃料噴射装置では、コモンレール内に蓄積された高圧状態の燃料が各燃料噴射弁に供給された状態で、各燃料噴射弁の通電制御が行われることにより、所望の噴射タイミングで内燃機関の気筒内に燃料を噴射することができるようになっている。
【０００３】
蓄圧式燃料噴射装置に備えられる低圧フィードポンプとしては、内燃機関の駆動力によって作動する機械式ポンプや、バッテリから供給される電圧によって作動する電動ポンプがある。機械式ポンプの場合には、内燃機関のクランクシャフトが回転しない限りポンプも作動しない。一方、電動ポンプの場合には、内燃機関の回転の有無にかかわらず電圧の供給の有無を制御することで、ポンプの作動状態を制御することができる。
【０００４】
ここで、低圧フィードポンプとして電動低圧ポンプを用いて、内燃機関の始動時に、内燃機関への燃料噴射を速やかに開始できるように構成した燃料噴射装置が開示されている。具体的には、内燃機関の停止状態からイグニッションスイッチがオンになることにより、内燃機関の運転再開の意思を運転者が有するとＥＣＵが判断して、イグニッションスイッチがスタータ位置（クランキング位置）になる前に、電動低圧ポンプを作動させるようにした燃料噴射装置が開示されている（例えば、特許文献１を参照）。
【先行技術文献】
【特許文献】
【０００５】
【特許文献１】特開平８−１２１２８１号公報（図７）
【発明の概要】
【発明が解決しようとする課題】
【０００６】
低圧フィードポンプが機械式ポンプである場合はもちろん、電動ポンプを用いる場合であってもクランキングが開始されない限り低圧フィードポンプが作動しないようになっている場合には、高圧ポンプによる燃料の圧送が可能になってコモンレール内の圧力が噴射可能圧力に到達するまでに時間がかかり、内燃機関が始動（完爆）するまでクランキング時間が長くなりやすい。特に、ガス欠後に燃料を補充した後や、蓄圧式燃料噴射装置の組立、修理後など、装置内に燃料が充填されていない状態で内燃機関を始動する場合にあっては、クランキング開始から内燃機関始動までに長時間を要することになる。このように無駄なクランキング時間が増えると、バッテリへの負荷が増大し、ひいてはバッテリが上がってしまうおそれがある。
【０００７】
これに対して、特許文献１の装置は、イグニッションスイッチがオンになった時点で電動低圧ポンプを作動させるように構成されているが、イグニッションスイッチがオンの位置にある状態とはクランキング音が生じていない比較的静かな状態であるため、電動低圧ポンプの作動音が運転者等に認識されやすい。蓄圧式燃料噴射装置内に燃料が充填されていない状況であれば電動低圧ポンプの作動音が認識されても止むを得ないが、そうでない場合においてもイグニッションスイッチがオンになった時点で常に電動低圧ポンプが作動するようになっていると、本来発生させる必要ない音が運転者等に認識されることになる。
【０００８】
本発明の発明者はこのような問題に鑑み、内燃機関の始動時において、所定時間以上クランキングをしたにもかかわらず内燃機関が始動しなかった場合に限って、クランキング停止後も低圧ポンプを継続して作動させるようにすることにより上述した問題を解決できることを見出し、本発明を完成させたものである。すなわち、本発明は、基本的にはクランキング中にのみ電動低圧ポンプを作動させて電動低圧ポンプの作動音が運転者等に認識されないようにする一方で、蓄圧式燃料噴射装置内に燃料が充填されていないような状況においてのみ、クランキング停止後も電動低圧ポンプの作動を継続して、内燃機関の始動までのクランキング時間の短縮を可能とする内燃機関の制御装置を提供することを目的とする。
【課題を解決するための手段】
【０００９】
本発明によれば、電動低圧ポンプによって供給される燃料を高圧ポンプで加圧してコモンレールに圧送し、コモンレールに接続された複数の燃料噴射弁から内燃機関の気筒内に燃料を噴射する蓄圧式燃料噴射装置を用いて内燃機関の運転制御を行うための内燃機関の制御装置において、内燃機関の始動時にクランキングの実行を制御するクランキング制御手段と、内燃機関が始動したか否かを検出する始動検出手段と、クランキングの開始時に電動低圧ポンプの作動を開始するとともに、クランキングの停止時に内燃機関が始動していない場合において、クランキング時間が所定の閾値未満である場合には電動低圧ポンプを停止する一方、クランキング時間が閾値以上である場合には電動低圧ポンプの作動を継続する制御を行う低圧ポンプ制御手段と、を備えることを特徴とする内燃機関の制御装置が提供され、上述した問題を解決することができる。
【００１０】
また、本発明の内燃機関の制御装置を構成するにあたり、内燃機関の始動までにクランキングが複数回繰り返された場合には、複数回のクランキングの合計時間をクランキング時間として用いることが好ましい。
【００１１】
また、本発明の内燃機関の制御装置を構成するにあたり、低圧ポンプ制御手段は、クランキングが停止し内燃機関が始動していない場合において、コモンレール内の圧力が所定の閾値以上であるか否かを判別し、コモンレール内の圧力が閾値以上である場合には、電動低圧ポンプを停止させ、コモンレール内の圧力が閾値未満である場合には、さらにクランキング時間が所定の閾値以上であるか否かを判別し、クランキング時間が閾値未満である場合には電動低圧ポンプを停止する一方、クランキング時間が閾値以上である場合には電動低圧ポンプの作動を継続することが好ましい。
【００１２】
また、本発明の内燃機関の制御装置を構成するにあたり、低圧ポンプ制御手段は、クランキング時間が閾値以上となって電動低圧ポンプの作動を継続させた場合に、予め定められた所定時間の経過後に電動低圧ポンプの作動を停止することが好ましい。
【００１３】
また、本発明の内燃機関の制御装置を構成するにあたり、低圧ポンプ制御手段は、クランキング時間が閾値以上となって電動低圧ポンプの作動を継続させた場合に、燃料通路内の圧力が所定の必要圧力値に達したときに電動低圧ポンプを停止することが好ましい。
【００１４】
また、本発明の内燃機関の制御装置を構成するにあたり、低圧ポンプ制御手段は、クランキング時間が閾値以上となって電動低圧ポンプの作動を継続させた場合に、クランキング中にコモンレール内の圧力が上昇したか否かに応じて、電動低圧ポンプを停止するタイミングを異ならせることが好ましい。
【発明の効果】
【００１５】
本発明の内燃機関の制御装置によれば、内燃機関の始動時において、クランキングの停止時に内燃機関が始動していないときに、クランキング時間が所定の閾値以上である場合に限って電動低圧ポンプの作動が継続するようになる。したがって、基本的には電動低圧ポンプの作動音が運転者等に認識されなくなる一方で、蓄圧式燃料噴射装置内に燃料が充填されていないような状況においては引き続き燃料が装置内に供給される。その結果、次回のクランキング時における内燃機関が始動するまでのクランキング時間が短縮され、バッテリへの負荷の増大や、ひいてはバッテリ上がりのおそれを低減することができる。
【図面の簡単な説明】
【００１６】
【図１】第１の実施の形態にかかる内燃機関の制御装置の全体的構成を示す図である。
【図２】第１の実施の形態にかかる内燃機関の制御装置のコントロールユニットの構成例を示すブロック図である。
【図３】第１の実施の形態のコントロールユニットによって実行される制御方法の一例を説明するためのタイムチャート図である。
【図４】第１の実施の形態のコントロールユニットによって実行される制御方法の一例を説明するためのタイムチャート図である。
【図５】第１の実施の形態のコントロールユニットによって実行される制御方法の一例を説明するためのタイムチャート図である。
【図６】コントロールユニットによって実行される制御方法の一例を説明するためのフローチャート図である。
【図７】第１の実施の形態のコントロールユニットによって実行される電動低圧ポンプの制御の具体例を示すフローチャートである。
【図８】第２の実施の形態にかかる内燃機関の制御装置の全体的構成を示す図である。
【図９】第２の実施の形態にかかる内燃機関の制御装置のコントロールユニットの構成例を示すブロック図である。
【図１０】第２の実施の形態のコントロールユニットによって実行される制御方法の一例を説明するためのタイムチャート図である。
【図１１】第２の実施の形態のコントロールユニットによって実行される電動低圧ポンプの制御の具体例を示すフローチャートである。
【発明を実施するための形態】
【００１７】
以下、図面を参照して、本発明の内燃機関の制御装置に関する実施の形態について具体的に説明する。ただし、以下の実施の形態は、本発明の一態様を示すものであってこの発明を限定するものではなく、本発明の範囲内で任意に変更することが可能である。なお、それぞれの図中、同じ符号を付してあるものは同一の部材を示しており、適宜説明が省略されている。
【００１８】
［第１の実施の形態］
１．全体的構成
図１は、本発明の第１の実施の形態にかかる内燃機関の制御装置５０の全体的構成の一例を示している。この内燃機関の制御装置５０は車両に搭載された内燃機関４０の制御を行うためのものである。
内燃機関４０は、クランクシャフト４３の回転に伴ってピストン４２が気筒４１内を往復動可能になっており、気筒４１内が圧縮状態のときに気筒４１内に燃料が噴射されて爆発を生じ、気筒４１内が膨張状態となることで駆動力が得られるものである。この内燃機関４０には、始動時にクランクシャフト４３を強制的に回転させるスタータ装置４５が備えられている。また、内燃機関４０には、クランクシャフト４３の回転数（機関回転数）を検出する回転数センサ４４が設けられている。
【００１９】
また、内燃機関の制御装置５０は蓄圧式燃料噴射装置２０と、各コンポーネントの制御を行うためのコントロールユニット（ＥＣＵ）６０を備えている。蓄圧式燃料噴射装置２０は、内燃機関４０の気筒４１に燃料を噴射するための装置であって、燃料タンク１と、電動低圧ポンプ２と、流量制御弁８と、高圧ポンプ５と、コモンレール１０と、圧力制御弁１２と、インジェクタ１３等を主たる要素として備えている。
【００２０】
電動低圧ポンプ２は、燃料タンク１内の燃料を吸い上げて高圧ポンプ５に向けて圧送するようになっている。電動低圧ポンプ２は、内燃機関４０の駆動力によらずに、バッテリから供給される電流によって駆動する電磁式の低圧フィードポンプが用いられている。
【００２１】
高圧ポンプ５は、電動低圧ポンプ２によって圧送され加圧室５ａに導入される燃料を加圧してコモンレール１０へ圧送するようになっている。高圧ポンプ５には、内燃機関４０のクランクシャフト４３に連結されたカムシャフトの回転に伴って上下動するプランジャ２５が備えられている。このプランジャ２５の上下動によって容積が可変する加圧室５ａには、燃料吸入弁１５を介して燃料が流入するとともに、加圧された燃料が燃料吐出弁１６を介してコモンレール１０に圧送されるようになっている。
【００２２】
本実施形態において、高圧ポンプ５の燃料吸入弁１５は機械式の弁によって構成されたものであり、燃料吸入弁１５の上流側の圧力が、燃料吸入弁１５を閉弁方向に付勢するバルブスプリングの付勢力と加圧室５ａ内の圧力との総和を上回ったときに開弁して、加圧室５ａ内に燃料が導入されるようになっている。すなわち、加圧室５ａに向けて供給される燃料の圧力が所定圧力以上に上昇しない限り、プランジャ２５の上下動にかかわらず加圧室５ａ内に燃料が導入されにくくなっている。
【００２３】
電動低圧ポンプ２によって送られる燃料を高圧ポンプ５の加圧室５ａに導く低圧供給通路１８には、燃料の流量を比例制御するための流量制御弁８が備えられている。流量制御弁８よりも上流側の低圧供給通路１８には第１のリターン通路３０ａが接続されており、第１のリターン通路３０ａにはオーバーフローバルブ１４が備えられている。これにより、流量制御弁８よりも上流側の低圧供給通路１８内の圧力が所定の圧力を超えた時に、燃料の一部が第１のリターン通路３０ａを介して燃料タンク１へ戻されるようになっている。
【００２４】
高圧ポンプ５と高圧供給通路３７を介して接続されたコモンレール１０には、高圧ポンプ５によって圧送される高圧の燃料が蓄積され、複数の燃料噴射弁１３に対して均等な圧力で燃料が供給されるようになっている。このコモンレール１０にはレール圧センサ２１が設けられている。レール圧センサ２１のセンサ信号はＥＣＵ６０に送られて、ＥＣＵ６０ではレール圧が検出される。また、コモンレール１０には、コモンレール１０から排出する燃料の流量を比例制御するための圧力制御弁１２が備えられた第２のリターン通路３０ｂが接続されている。
【００２５】
コモンレール１０に接続されたそれぞれの燃料噴射弁１３は、通電制御によって開閉の制御が行われ、コモンレール１０から供給される燃料を内燃機関４０の気筒４１に噴射する。この燃料噴射弁１３には、燃料噴射弁１３の開閉の制御に伴って排出されるリーク燃料等を燃料タンク１に戻すための第３のリターン通路３０ｃが接続されている。
【００２６】
このように構成される内燃機関の制御装置５０では、内燃機関４０の始動時にイグニッションスイッチがクランキング位置に操作されスタータ装置４５によってクランキングが開始されると、内燃機関４０のピストン４２が気筒４１内を上下動する。同時に、クランキングによって高圧ポンプ５の駆動も開始される。そして、各気筒４１の圧縮状態において燃料噴射弁１３への噴射指示が繰り返され、レール圧が所定圧力に到達したときに燃料噴射弁１３による正常噴射が実行されて内燃機関４０が始動（完爆）する。
【００２７】
２．コントロールユニット（ＥＣＵ）
図２は、本実施形態の内燃機関の制御装置５０に備えられたＥＣＵ６０の構成のうち、内燃機関４０の始動時の制御に関連する部分を機能的なブロックで表した図を示している。
このＥＣＵ６０は、公知の構成からなるマイクロコンピュータを中心に構成されており、クランキング制御部６１と、始動検出部６２と、燃料噴射弁制御部６４と、レール圧検出部６５と、低圧ポンプ制御部６６等を主要な要素として備えている。これらの各部は、具体的にはマイクロコンピュータによるプログラムの実行によって実現されるものである。
【００２８】
また、ＥＣＵ６０には、種々の制御プログラムやデータ情報があらかじめ記憶されたＲＯＭ（図示せず。）や、上記の各部による検出結果や演算結果が記憶されるＲＡＭ７０等の記憶手段、及びタイマカウンタが備えられている。このＥＣＵ６０は、内燃機関４０に備えられた回転数センサ４４や、アクセル操作量を検出するためのアクセルセンサをはじめとして、種々のセンサのセンサ信号を読込み可能になっている。
【００２９】
クランキング制御部６１は、内燃機関４０のイグニッションスイッチ４６がクランキング位置に操作されている間、スタータ装置４５に対してクランキング実行の指示を出力するようになっている。このクランキング実行の指示が出力されている時間がＲＡＭ７０に記憶されるようになっている。また、レール圧検出部６５は、コモンレール１０に設けられたレール圧センサ２１のセンサ信号に基づいてレール圧Prailを検出するように構成されている。
【００３０】
始動検出部６２は、内燃機関４０が始動（完爆）したか否かを検出可能に構成されている。例えば、本実施形態においては、始動検出部６２は回転数センサ４４の信号に基づいて機関回転数Neを求め、機関回転数Neが所定のアイドル回転数に到達したか否かを判別することで内燃機関４０の始動を検出するようになっている。ただし、内燃機関４０の始動を検出する手段は、機関回転数Ne以外の情報を用いるように構成されていてもよい。
【００３１】
燃料噴射弁制御部６４は、イグニッションスイッチ４６がオン位置及びクランキング位置に操作されている間、回転数センサ４４の信号に基づいて各気筒４１のピストン４２の位置を検出し、所定の噴射タイミングに合わせて燃料噴射弁１３に対して噴射の指示を出力する。内燃機関４０の始動時においては、イグニッションスイッチ４６がクランキング位置に操作され、レール圧Prailが所定の噴射可能圧力以上である場合に正常な燃料噴射が行われ、内燃機関４０の始動が完了する。
【００３２】
低圧ポンプ制御部６６は、内燃機関４０の始動前において、イグニッションスイッチ４６がクランキング位置に操作されたときに、電動低圧ポンプ２の作動を開始するようになっている。したがって、クランキングが継続される期間中においては、蓄圧式燃料噴射装置２０内を燃料が流通する状態となる。
【００３３】
また、低圧ポンプ制御部６６は、イグニッションスイッチ４６がクランキング位置からオン位置に戻されたときに、内燃機関４０の始動が完了しているか否かの情報を読込むようになっている。そして、内燃機関４０の始動が完了している場合には、その後イグニッションスイッチ４６が電源オン位置（以下「アクセサリ位置」と称する。）に戻されて内燃機関４０の運転が停止されない限り、低圧ポンプ制御部６６は電動低圧ポンプ２を作動状態で維持する制御を行う。
【００３４】
また、イグニッションスイッチ４６がクランキング位置からオン位置に戻されたときに、内燃機関４０が始動していない場合には、低圧ポンプ制御部６６は、レール圧Prailが所定の閾値Prail0以上になっているか否かを判別するようになっている。この閾値Prail0は、実際のレール圧Prailが噴射可能圧力に近づいているか否かを判断するための値であり、噴射可能圧力よりも小さい値に設定される。レール圧Prailが閾値Prail0以上になっている場合には、次回のクランキング時に速やかに内燃機関４０が始動できる状態であるために、低圧ポンプ制御部６６は電動低圧ポンプ２を停止させるようになっている。
【００３５】
一方、レール圧Prailが閾値Prail0未満である場合には、低圧ポンプ制御部６６は、さらにＲＡＭに記憶されているクランキング時間Tcrankを読込むようになっている。そして、低圧ポンプ制御部６６はクランキング時間Tcrankを所定の閾値Tcrank0と比較し、クランキング時間Tcrankが閾値Tcrank0未満であれば電動低圧ポンプ２を停止する一方、クランキング時間Tcrankが閾値Tcrank0以上であれば電動低圧ポンプ２の作動を継続する制御を行う。
【００３６】
クランキング時間Tcrankと比較される閾値Tcrank0は、蓄圧式燃料噴射装置２０内に燃料が充填されていない状態からクランキングを開始して内燃機関４０が始動するまでの所要時間よりも短い時間に設定される。
例えば、この場合の所要時間は３０秒程度であり、閾値Tcrank0は一例として、所要時間の２分の１の値や３分の１の値とすることができるが、特に制限されるものではない。
ただし、閾値Tcrank0が過度に短い時間である場合には、蓄圧式燃料噴射装置２０内に燃料が充填されている状態であるにもかかわらず、クランキング停止後も無駄に電動低圧ポンプ２を作動させるおそれがあるため、例えば、１０秒以上とする。
なお、燃料が充填されている状態でのクランキングに要する時間、すなわち、クランキングを開始して内燃機関が始動するまでの所要時間は、常温（２５℃）であれば１秒以内、極低温（−２５℃）であれば２秒程度である。
【００３７】
また、クランキング時間Tcrankに関し、１回のクランキング時間が閾値Tcrank0未満であったとしても、内燃機関４０の始動が完了するまでの間にクランキングが繰り返され、その合計時間が閾値Tcrank0を超えた場合には、蓄圧式燃料噴射装置２０内に燃料が充填されていない状態であったことを推定することができる。したがって、内燃機関４０の始動が完了するまでの間に実行されたクランキング時間の積算値を閾値Tcrank0との比較に用いるように設定することが好ましい。この場合、内燃機関４０の始動が完了したときには積算値がリセットされるようにする。
【００３８】
また、本実施形態において、低圧ポンプ制御部６６は、クランキング停止後に電動低圧ポンプ２の作動を継続した場合に、あらかじめ定められた所定時間Txが経過したときに電動低圧ポンプ２の作動を停止するようになっている。イグニッションスイッチ４６がオン位置にあってクランキングが停止している状態では高圧ポンプ５も停止した状態であり、高圧ポンプ５の燃料吸入弁１５よりも上流側の低圧供給通路１８内に燃料が充填された後には電動低圧ポンプ２の作動が無駄になるだけでなく、発生させる必要のない作動音が運転者等に認識されることになるからである。
【００３９】
電動低圧ポンプ２の作動を継続させる所定時間Txは特に制限されるものではないが、例えば、低圧供給通路１８内の圧力が、高圧ポンプ５の加圧室５ａへの燃料の導入が可能となる必要圧力値に到達するまでの最大時間を考慮して設定することができる。この所定時間Txはクランキングが停止した後に作動を継続させる時間であり、クランキングの停止時までにすでに電動低圧ポンプ２によって低圧供給通路１８への燃料の圧送がされていることから、継続させる所定時間Txは最大時間よりも短い時間であってよい。
【００４０】
また、電動低圧ポンプ２の作動を継続させる所定時間Txは、それまでのクランキング時間Tcrankに応じて異なる値であってもよい。クランキング時間Tcrankが長時間であるほど、これまでに電動低圧ポンプ２によって蓄圧式燃料噴射装置２０へ圧送された燃料の供給量は多くなり、低圧供給通路１８に燃料が充填されるまでに要する時間が短時間で済むようになる。したがって、クランキング停止までのクランキング時間Tcrankが長いほど、その後の電動低圧ポンプ２の作動を継続させる時間が短くなるように設定することができる。
【００４１】
また、クランキング停止後に電動低圧ポンプ２の作動を継続させる期間中、電動低圧ポンプ２の出力が高められるようになっていてもよい。このように設定されている場合には、作動音がやや大きくなるおそれがあるものの、クランキング停止後に電動低圧ポンプ２の作動を継続して低圧供給通路１８内に燃料を供給する時間を短くすることができ、内燃機関４０の始動までの総時間を短縮することができる。
【００４２】
３．制御方法
次に、これまで説明した内燃機関の制御装置５０のＥＣＵ６０によって実行される内燃機関４０の始動時の制御方法の具体例を、図３〜図５のタイムチャート図と図６及び図７のフローチャート図に基づいて説明する。
【００４３】
（１）タイムチャート
図３〜図５のタイムチャート図は、内燃機関４０の始動時におけるイグニッションスイッチ４６の位置、クランキングのオンオフ、電動低圧ポンプ２のオンオフ、レール圧Prailの推移をそれぞれ示している。図３はクランキング停止時にレール圧Prailが所定の閾値Prail0以上になる場合のタイムチャート図である。また、図４は蓄圧式燃料噴射装置２０内に燃料が充填されている通常の状態からの再始動時のタイムチャート図であり、図５はガス欠後に燃料を補充した後等、蓄圧式燃料噴射装置２０内に燃料が充分に充填されていない状態からの再始動時のタイムチャート図である。
【００４４】
まず、図３のタイムチャート図において、イグニッションスイッチ４６がt0の時点でアクセサリ位置に操作された後、t1の時点でオンの位置に操作され、さらにt2の時点でクランキング位置に操作される。イグニッションスイッチ４６がクランキング位置に操作されたt2の時点で、電動低圧ポンプ２の作動が開始されるとともに、スタータ装置４５によってクランキングが開始される。
【００４５】
クランキング期間中、蓄圧式燃料噴射装置２０内に燃料が充填され、クランキングによって高圧ポンプ５からコモンレール１０に向けて燃料が圧送されるようになれば、レール圧Prailは徐々に上昇はじめる。クランキングが実行されている間は、クランキング音が生じているために電動低圧ポンプ２の作動音は運転者に認識されない。レール圧Prailが、燃料の正常噴射が可能な噴射可能圧力を超えたときに内燃機関４０が始動（完爆）するが、図３のタイムチャート図の例では、内燃機関４０の始動前のt3の時点でイグニッションスイッチ４６がオンの位置に戻されている。
【００４６】
イグニッションスイッチ４６がオンの位置に戻されるとクランキングは停止されるが、クランキングが停止されたt3の時点のレール圧Prailが閾値Prail0以上になっているために、t3の時点で電動低圧ポンプ２の作動も停止される。このように、クランキング停止時にレール圧Prailが閾値Prail0以上であり、次回のクランキング時に速やかに内燃機関４０が始動されるような場合には、クランキングの停止に合わせて電動低圧ポンプ２の作動も停止され、本来的に発生させる必要のない音が運転者等に認識されることを防ぐことができる。
【００４７】
その後、t4の時点でイグニッションスイッチ４６がクランキング位置に操作され、再び電動低圧ポンプ２が作動されるとともに内燃機関４０のクランキングが開始されると、レール圧Prailが再び上昇する。そして、レール圧Prailが噴射可能圧力に到達したt5の時点で内燃機関４０が始動（完爆）する。その結果、運転者によってイグニッションスイッチ４６がオン位置に戻され、クランキングは停止する。
【００４８】
次に、図４のタイムチャート図において、イグニッションスイッチ４６がt10の時点でアクセサリ位置に操作された後、t11の時点でオンの位置に操作され、さらにt12の時点でクランキング位置に操作される。イグニッションスイッチ４６がクランキング位置に操作されたt12の時点で、電動低圧ポンプ２の作動が開始されるとともに、スタータ装置４５によってクランキングが開始される。
【００４９】
蓄圧式燃料噴射装置２０内に燃料が充填されている状況においては、クランキングによって高圧ポンプ５からコモンレール１０に向けて燃料が圧送され、レール圧Prailが徐々に上昇する。クランキングが実行されている間は、クランキング音が生じているために電動低圧ポンプ２の作動音は運転者に認識されない。レール圧Prailが、燃料の正常噴射が可能な噴射可能圧力を超えたときに内燃機関４０が始動（完爆）するが、図４のタイムチャート図の例では、レール圧Prailが閾値Prail0に到達する前、かつ、クランキング時間Tcrankが閾値Tcrank0に到達する前のt13の時点でイグニッションスイッチ４６がオンの位置に戻されている。
【００５０】
イグニッションスイッチ４６がオンの位置に戻されるとクランキングは停止される。また、ここまでのクランキング時間Tcrankが閾値Tcrank0未満であるために、t13の時点で電動低圧ポンプ２の作動も停止される。このように、クランキング時間Tcrankが閾値Tcrank0未満であり、蓄圧式燃料噴射装置２０内に燃料が充填されていないと推定することができない場合には、クランキングが停止されるときに電動低圧ポンプ２の作動も停止され、本来的に発生させる必要のない音が運転者等に認識されることを防ぐことができる。
【００５１】
その後、t14の時点でイグニッションスイッチ４６がクランキング位置に操作され、再び電動低圧ポンプ２が作動されるとともに内燃機関４０のクランキングが開始されると、レール圧Prailが再び上昇する。そして、レール圧Prailが噴射可能圧力に到達したt15の時点で内燃機関４０が始動（完爆）する。その結果、運転者によってイグニッションスイッチ４６がオン位置に戻され、クランキングは停止する。
【００５２】
次に、図５のタイムチャート図において、イグニッションスイッチ４６がt20の時点でアクセサリ位置に操作された後、t21の時点でオンの位置に操作され、さらにt22の時点でクランキング位置に操作される。イグニッションスイッチ４６がクランキング位置に操作されたt22の時点で、電動低圧ポンプ２の作動が開始されるとともに、スタータ装置４５によってクランキングが開始される。
【００５３】
蓄圧式燃料噴射装置２０内に燃料が充填されていれば所定回数のクランキングが行われることで内燃機関４０が始動するが、蓄圧式燃料噴射装置２０内に燃料が充填されていない状況においては、内燃機関４０は長時間始動することがないため、イグニッションスイッチ４６が戻されない限りクランキングが継続させられる。図５のタイムチャート図においては、イグニッションスイッチ４６がオンの位置に戻されるt23の時点までクランキングが継続している。
【００５４】
t22〜t23の期間は、クランキング音が生じているために電動低圧ポンプ２の作動音は運転者に認識されない。また、ガス欠後に燃料を補充した後の再始動時等、蓄圧式燃料噴射装置２０内に燃料が充填されていない状況においては、電動低圧ポンプ２が作動し、クランキングが実行されているt22〜t23の期間中であっても、高圧ポンプ５からコモンレール１０への高圧の燃料の圧送は十分でないためにレール圧Prailが大きく上昇することはない。
【００５５】
t23の時点でクランキングは停止されるが、ここまでのクランキング時間Tcrankが閾値Tcrank0以上になっている場合には、t23の時点以降も電動低圧ポンプ２の作動が継続される。そして、t23の時点から、あらかじめ決められた所定時間Txが経過したt24の時点で電動低圧ポンプ２の作動が停止される。t24の時点では、低圧供給通路１８内に燃料が充填され、低圧供給通路１８内の圧力が上昇しているものの、高圧ポンプ５は駆動していないためにレール圧Prailが変化することはない。
【００５６】
その後、t25の時点でイグニッションスイッチ４６がクランキング位置に操作され、再び電動低圧ポンプ２が作動されるとともに内燃機関４０のクランキングが開始されると、高圧ポンプ２からコモンレール１０に対して高圧の燃料が圧送されることによりレール圧Prailが上昇する。そして、レール圧Prailが噴射可能圧力に到達したt26の時点で内燃機関４０が始動（完爆）する。その結果、運転者によってイグニッションスイッチ４６がオン位置に戻され、クランキングは停止する。
【００５７】
これら図３及び図５のタイムチャート図に示されるように、本実施形態の内燃機関の制御装置５０では、蓄圧式燃料噴射装置２０内に燃料が充填されていないと判断されない限り、クランキングの開始又は停止に合わせて電動低圧ポンプ２の作動又は停止が切換えられるようになっている。そして、蓄圧式燃料噴射装置２０内に燃料が充填されていないと推定される場合に限って、クランキングの停止後も電動低圧ポンプ２の作動が所定時間Tx継続させられるようになっている。
【００５８】
（２）フローチャート
図６及び図７は、本実施形態の内燃機関の制御装置５０のＥＣＵ６０によって実行される制御のフローチャートを示している。図６は制御の全体の流れを示すフローチャートであり、図７は電動低圧ポンプ２の作動を継続させる際の具体的な制御の流れを示すフローチャート図である。
【００５９】
まず、イグニッションスイッチ４６がクランキング位置に操作されると、ＥＣＵ６０は、ステップＳ１でスタータ装置４５によってクランキングを開始させるとともに、ステップＳ２で電動低圧ポンプ２の作動を開始させる。
【００６０】
その後、イグニッションスイッチ４６がオン位置に戻されると、ＥＣＵ６０は、ステップＳ３でクランキングを停止させた後、ステップＳ４で内燃機関４０が始動したか否かを判別する。ステップＳ４で内燃機関４０が始動したと判別された場合には、ステップＳ５に進み、ＥＣＵ６０は電動低圧ポンプ２の作動をそのまま継続させる。
【００６１】
一方、ステップＳ４で内燃機関４０が始動していないと判別された場合には、ステップＳ６に進み、ＥＣＵ６０はレール圧Prailが閾値Prail0未満であるか否かを判別する。レール圧Prailが閾値Prail0以上となっていれば、次回のクランキング時に速やかに内燃機関４０が始動される状態となっているために、ステップＳ１０に進んで、ＥＣＵ６０は電動低圧ポンプ２の作動を停止させる。これにより、クランキングの停止中に本来発生させる必要のない電動低圧ポンプ２の作動音が運転者等に認識されることがなくなる。
【００６２】
一方、ステップＳ６でレール圧Prailが閾値Prail0未満である場合には、ステップＳ７に進み、ＥＣＵ６０はクランキング時間Tcrankが閾値Tcrank0以上であるか否かを判別する。クランキング時間Tcrankが閾値Tcrank0未満であると判別された場合にはステップＳ９に進み、ＥＣＵ６０は、内燃機関４０の始動前に実行されたクランキング時間Tcrankの積算時間が閾値Tcrank0以上であるか否かを判別する。ステップＳ７あるいはステップＳ９では、今回の内燃機関４０の始動時において蓄圧式燃料噴射装置２０内に燃料が充填されているか否かが推定されることになる。
【００６３】
ステップＳ９において、クランキング時間Tcrankの積算時間も閾値Tcrank0に到達していないと判別された場合には、ステップＳ１０に進んで、ＥＣＵ６０は電動低圧ポンプ２の作動を停止させる。これにより、クランキングの停止中に本来発生させる必要のない電動低圧ポンプ２の作動音が運転者等に認識されることがなくなる。
【００６４】
一方、ステップＳ７においてクランキング時間Tcrankが閾値Tcrank0以上であると判別された場合や、ステップＳ９においてこれまでのクランキングの積算時間が閾値Tcrank0以上であると判別された場合には、蓄圧式燃料噴射装置２０内に燃料が充填されていないと推定されるために、ステップＳ８に進んで電動低圧ポンプ２の作動を継続させる。本実施形態の内燃機関の制御装置５０において、ステップＳ８は図７のフローチャート図に沿って実行される。
【００６５】
図７のフローチャート図について説明すると、電動低圧ポンプ２の作動を継続させた状態で、ＥＣＵ６０は、ステップＳ１１でタイマカウントを開始した後、ステップＳ１２で、タイマ値Tpumpがあらかじめ設定された所定時間Txに達したか否かを判別する。
【００６６】
ステップＳ１２でタイマ値Tpumpがあらかじめ設定された所定時間Txに到達している場合には、ステップＳ１３に進んで、ＥＣＵ６０は電動低圧ポンプ２の作動を停止した後、次回のクランキング開始に備えて図６のステップＳ１に戻る。この時点で、蓄圧式燃料噴射装置２０内の低圧供給通路１８内の圧力が上昇した状態となる。一方、ステップＳ１２でタイマ値Tpumpが所定時間Tx未満である場合には、ステップＳ１４に進み、ＥＣＵ６０はイグニッションスイッチ４６がクランキング位置に操作されているか否かを判別する。
【００６７】
イグニッションスイッチ４６がクランキング位置に操作されていなければステップＳ１２に戻り、ＥＣＵ６０はタイマ値Tpumpの判別を繰り返す。一方、イグニッションスイッチ４６がクランキング位置に操作されていれば、ステップＳ１５に進んで、ＥＣＵ６０はスタータ装置４５によってクランキングを再開させ、電動低圧ポンプ２の作動時間をカウントするタイマ値Tpumpをリセットした後、図６のステップＳ３に戻ってクランキングの停止を待つ。
【００６８】
本実施形態の内燃機関の制御装置５０は、このようにレール圧Prailの上昇具合及びクランキング時間Tcrankの長さに基づいて蓄圧式燃料噴射装置２０内に燃料が充填されているか否かを推定し、燃料が充填されていないと推定される状況においてのみクランキング停止後も電動低圧ポンプ２の作動を継続するように構成される。したがって、基本的には電動低圧ポンプ２の作動音が運転者等に認識されることがない一方、蓄圧式燃料噴射装置２０内に燃料が充填されていない場合に限っては、クランキングの停止期間中にも蓄圧式燃料噴射装置２０内に燃料が供給されるようになり、クランキング時間の短縮が図られるようになる。
【００６９】
なお、クランキング停止時に電動低圧ポンプ２の作動を継続する間、運転者がそのことを認識できるように準備ランプを点灯させるようにしてもよい。このようにすることで、電動低圧ポンプ２の作動が停止して低圧供給通路１８内の圧力が上昇した後にクランキングが再開されやすくなり、クランキング時間を確実に短くすることができるようになる。
【００７０】
［第２の実施の形態］
次に、本発明の第２の実施の形態にかかる内燃機関の制御装置について説明する。
本実施形態の内燃機関の制御装置は、基本的には第１の実施の形態の内燃機関の制御装置と同様の構成を有しているが、クランキング停止時に電動低圧ポンプの作動を継続させた後、低圧供給通路内の圧力を監視しながら作動を停止させるタイミングを計る点で第１の実施の形態とは異なっている。以下、本実施形態の内燃機関の制御装置について、第１の実施の形態と異なる点を中心に説明する。
【００７１】
１．低圧センサ
図８は、本実施形態の内燃機関の制御装置５０Ａの全体的構成の一例を示している。この内燃機関の制御装置５０Ａは、基本的には第１の実施の形態にかかる内燃機関の制御装置５０と同様の構成を有しているが、電動低圧ポンプ２と高圧ポンプ５の加圧室５ａとを結ぶ低圧燃料通路１８の途中に低圧センサ２７が備えられている。この低圧センサ２７のセンサ信号はＥＣＵ６０Ａに送信され、ＥＣＵ６０Ａでは低圧燃料通路１８内の圧力Pfeedが求められるようになっている。
【００７２】
２．ＥＣＵ
図９は、本実施形態の内燃機関の制御装置に備えられたＥＣＵ６０Ａの構成のうち、内燃機関４０の始動時の制御に関連する部分を機能的なブロックで表した図を示している。
このＥＣＵ６０Ａは、クランキング制御部６１と、始動検出部６２と、低圧検出部６３と、燃料噴射弁制御部６４と、レール圧検出部６５、低圧ポンプ制御部６６Ａ等を主たる要素として備えている。これらの各部のうち、クランキング制御部６１、始動検出部６２、燃料噴射弁制御部６４、レール圧検出部６５については第１の実施の形態で説明したものと同様の機能を有している。
【００７３】
低圧検出部６３は、低圧センサ２７のセンサ信号に基づいて低圧供給通路１８内の圧力Pfeedを検出するように構成されている。また、本実施形態のＥＣＵ６０Ａの低圧ポンプ制御部６６Ａは、レール圧Prailが閾値Prail0未満であるか否か、及びクランキング時間Tcrankが閾値Tcrank0以上であるか否かによって、クランキング停止後においても電動低圧ポンプ２の作動を継続させるか否かを切り分ける制御を行う点については、第１の実施の形態のＥＣＵ６０と同様に構成されている。加えて、低圧ポンプ制御部６６Ａは、電動低圧ポンプ２の作動を継続させる際に低圧供給通路１８内の圧力Pfeedを監視して、この圧力Pfeedが必要圧力値Pfeed0に到達した時点で電動低圧ポンプ２の作動を停止するようになっている。
【００７４】
３．制御方法
次に、本実施形態の内燃機関の制御装置５０ＡのＥＣＵ６０Ａによって実行される内燃機関４０の始動時の制御方法の具体例を、図１０のタイムチャート図及び図１１のフローチャート図に基づいて説明する。
【００７５】
（１）タイムチャート
図１０のタイムチャート図は、内燃機関４０の始動時におけるイグニッションスイッチの位置、クランキングのオンオフ、電動低圧ポンプのオンオフ、低圧供給通路内の圧力の推移、レール圧の推移をそれぞれ示している。図１０はガス欠後に燃料を補充した後等、蓄圧式燃料噴射装置２０内に燃料が充填されていない状態からの再始動時のタイムチャート図である。
【００７６】
まず、イグニッションスイッチ４６がt30の時点でアクセサリ位置に操作された後、t31の時点でオンの位置に操作され、さらにt32の時点でクランキング位置に操作される。イグニッションスイッチ４６がクランキング位置に操作されたt32の時点で、電動低圧ポンプ２の作動が開始されるとともに、スタータ装置４５によってクランキングが開始される。t32の時点以降、クランキングが実行されている間は、電動低圧ポンプ２が作動しているために低圧供給通路１８内の圧力Pfeedは徐々に上昇する。
【００７７】
その後、t33の時点でクランキングは停止されるが、このときのレール圧Prailが閾値Prail0未満であって、かつ、ここまでのクランキング時間Tcrankが閾値Tcrank0以上になっている場合には、t33の時点以降も電動低圧ポンプ２の作動が継続される。そして、低圧供給通路１８内の圧力Pfeedが必要圧力値Pfeed0に到達したt34の時点で電動低圧ポンプ２の作動が停止される。t34の時点では、低圧供給通路１８内に燃料が充填され、低圧供給通路１８内の圧力Pfeedが必要圧力値Pfeed0まで上昇するものの、高圧ポンプ５は駆動していないためにレール圧が変化することはない。
【００７８】
その後、t35の時点でイグニッションスイッチ４６がクランキング位置に操作され、再び電動低圧ポンプ２が作動されるとともに内燃機関４０のクランキングが開始されると、高圧ポンプ２からコモンレール１０に対して高圧の燃料が圧送されることによりレール圧が上昇する。そして、レール圧が噴射可能圧力に到達したt36の時点で内燃機関４０が始動（完爆）する。その結果、運転者によってイグニッションスイッチ４６がオン位置に戻され、クランキングは停止する。
【００７９】
（２）フローチャート
本実施形態の内燃機関の制御装置５０ＡのＥＣＵ６０Ａによって実行される制御の全体の流れは図６のフローチャート図に示されるとおりであり、電動低圧ポンプ２の作動を継続させるステップＳ８の具体的フローが第１の実施の形態の例とは異なっている。図１１は、本実施形態において電動低圧ポンプ２の作動を継続させる際の具体的な制御の流れを示すフローチャート図である。
【００８０】
図１１のフローチャート図について説明すると、電動低圧ポンプ２の作動を継続させた状態で、ＥＣＵ６０Ａは、ステップＳ２１で、低圧供給通路１８内の圧力Pfeedが必要圧力値Pfeed0に達したか否かを判別する。低圧供給通路１８内の圧力Pfeedが必要圧力値Pfeed0に到達した場合には、ステップＳ２３に進んで、ＥＣＵ６０Ａは電動低圧ポンプ２の作動を停止した後、次回のクランキング開始に備えて図６のステップＳ１に戻る。
【００８１】
一方、ステップＳ２１で低圧供給通路１８内の圧力Pfeedが必要圧力値Pfeed0に到達していない場合には、ステップＳ２３に進み、ＥＣＵ６０Ａはイグニッションスイッチ４６がクランキング位置に操作されているか否かを判別する。イグニッションスイッチ４６がクランキング位置に操作されていなければステップＳ２１に戻り、ＥＣＵ６０Ａは低圧供給通路１８内の圧力Pfeedの判別を繰り返す。一方、イグニッションスイッチ４６がクランキング位置に操作されていれば、ステップＳ２４に進んで、ＥＣＵ６０Ａはスタータ装置４５によってクランキングを再開させた後、図６のステップＳ３に戻ってクランキングの停止を待つ。
【００８２】
本実施形態の内燃機関の制御装置５０Ａは、このようにレール圧Prailの上昇具合及びクランキング時間Tcrankの長さに基づいて蓄圧式燃料噴射装置２０内に燃料が充填されているか否かを推定し、燃料が充填されていないと推定される状況においてのみクランキング停止後も電動低圧ポンプ２の作動を継続するように構成される。したがって、基本的には電動低圧ポンプ２の作動音が運転者等に認識されることがない一方、蓄圧式燃料噴射装置２０内に燃料が充填されていない場合に限っては、クランキングの停止期間中にも蓄圧式燃料噴射装置２０内に燃料が供給されるようになり、クランキング時間の短縮が図られるようになる。
【００８３】
また、本実施形態の内燃機関の制御装置５０Ａでは、電動低圧ポンプ２の作動を継続する際に、低圧供給通路１８内の圧力Pfeedが必要圧力値Pfeed0に到達した時点で停止されるようになっている。したがって、電動低圧ポンプ２を必要充分な時間のみ作動を継続させることができ、バッテリの浪費をなくしつつ、運転者による内燃機関４０の始動を速やかに行えるようにすることができる。
なお、本実施形態においても、クランキング停止時に電動低圧ポンプ２の作動を継続する間、運転者がそのことを認識できるように準備ランプを点灯させるようにしてもよい。
【符号の説明】
【００８４】
１：燃料タンク、２：電動低圧ポンプ、５：高圧ポンプ、５ａ：加圧室、７：プランジャ、８：流量制御弁、１０：コモンレール、１２：圧力制御弁、１３：燃料噴射弁、１４：オーバーフローバルブ、１５：燃料吸入弁、１６：燃料吐出弁、１８：低圧供給通路、２０：蓄圧式燃料噴射装置、２１：レール圧センサ、２５：プランジャ、２７：低圧センサ、３０ａ・３０ｂ・３０ｃ：リターン通路、３７：高圧供給通路、４０：内燃機関、４１：気筒、４２：ピストン、４３：クランクシャフト、４４：回転数センサ、４５：スタータ装置、４６：イグニッションスイッチ、５０・５０Ａ：内燃機関の制御装置、６０・６０Ａ：コントロールユニット（ＥＣＵ）、６１：クランキング制御部、６２：始動検出部、６３：低圧検出部、６４：燃料噴射弁制御部、６５：レール圧検出部、６６・６６Ａ：低圧ポンプ制御部、７０：ＲＡＭ
【図１】
0005534600.tif 000002
【図２】
0005534600.tif 000003
【図３】
0005534600.tif 000004
【図４】
0005534600.tif 000005
【図５】
0005534600.tif 000006
【図６】
0005534600.tif 000007
【図７】
0005534600.tif 000008
【図８】
0005534600.tif 000009
【図９】
0005534600.tif 000010
【図１０】
0005534600.tif 000011
【図１１】
0005534600.tif 000012